(57)【要約】【課題】床固定される剛体の浴槽本体が不要で、入浴設備の低コスト化が図れるとともに、要介護人の入浴を浴室だけでなくその他の場所でも行うことができる入浴用ストレッチャを提供する。【解決手段】要介護者が伏臥または仰臥可能なベッド１１と、ベッド１１上に設けられるプール１２とを備えたので、従来のような剛体からなる床固定式の浴槽が不要となる。その結果、入浴設備の低コスト化が図れ、しかも要介護人を、例えば福祉施設の浴室などではなく、例えば要介護者の自宅の寝室など、どのような場所でも入浴させることができる。【選択図】図１
2007181630.tif 000002
【特許請求の範囲】
【請求項１】
要介護者の入浴介護を介護人一人で行える入浴用ストレッチャであって、
要介護者が伏臥または仰臥可能なベッドと、
このベッド上に設けられるプールとを備えた入浴用ストレッチャ。
【請求項２】
前記ベッドの上面は、その周囲が４つの柵体で取り囲まれた請求項１に記載の入浴用ストレッチャ。
【請求項３】
前記柵体の内側に、プラスチック製シートによるプールが配設された請求項１に記載の入浴用ストレッチャ。
【請求項４】
前記柵体は、折り畳み自在である請求項１に記載の入浴用ストレッチャ。
【請求項５】
前記ベッドは、その長さ方向中央部で２つに折り畳み可能である請求項１に記載の入浴用ストレッチャ。
【請求項６】
前記プールは、要介護者が仰臥した状態で入浴可能な深さに設定した請求項１に記載の入浴用ストレッチャ。
【請求項７】
前記ストレッチャは、キャスタにより移動自在である請求項１に記載の入浴用ストレッチャ。
【請求項８】
前記ベッド面は、高さ調整が可能である請求項１に記載の入浴用ストレッチャ。
【請求項９】
前記ベッド面は、要介護者の頭部が載置される長さ方向の一端部が持ち上げ可能である請求項１に記載の入浴用ストレッチャ。
【発明の詳細な説明】
【技術分野】
【０００１】
この発明は、入浴用ストレッチャ、詳しくは身体障害者、寝たきり老人などの要介護者の入浴介護を、一人の介護人のみにより容易に行える入浴用ストレッチャに関する。
【背景技術】
【０００２】
従来、例えば福祉施設などでの身体障害者および寝たきり老人などの入浴に際しては、入浴者（要介護人）をストレッチャ上の担架に乗せて浴室へ移動させ、その後、ストレッチャを浴槽本体に連結させる。このとき、浴槽本体には、担架を受承する案内部材や枠体などが配設されている。そのため、連結後、ストレッチャと担架間の連結を解放し、入浴者を担架ごと浴槽へ押し込む。この押し込み作業が重労働で、介護人が一人だけでは、入浴者を浴槽内の所望位置まで送り込めない。そのため、複数の介護人が必要であった。
【０００３】
そこで、これを解消する従来の入浴用ストレッチャとして、例えば特許文献１が知られている。
特許文献１は、ストレッチャの水受けに凹みを設け、水受けの凹み部分に対応した補助水受けを担架に配設している。そのため、水受けから湯水が散逸し、床面を濡らすおそれが低減する。これにより、仮に担架および浴槽本体が大型化しても、凹み部分を利用して一人の介護人のみでも、入浴者を所定位置まで移動させることができる。その結果、介護人の労力を軽減することができる。
【特許文献１】特開２０００−１９７６８０号公報
【発明の開示】
【発明が解決しようとする課題】
【０００４】
しかしながら、特許文献１にあっては、上述したようにストレッチャにより運ばれた入浴者を担架ごと浴槽本体内に移送させるものであった。浴槽本体は、合成樹脂または金属などの剛体の槽である。そのため、入浴設備の価格が高騰し、浴槽本体の設置場所も例えば福祉施設などの浴室に限られていた。
【０００５】
そこで、この発明は、床固定される剛体の浴槽本体が不要で、入浴設備の低コスト化が図れるとともに、要介護人の入浴を浴室だけでなくその他の場所でも行うことができる入浴用ストレッチャを提供することを目的としている。
【課題を解決するための手段】
【０００６】
請求項１に記載の発明は、要介護者の入浴介護を介護人一人で行える入浴用ストレッチャであって、要介護者が伏臥または仰臥可能なベッドと、このベッド上に設けられるプールとを備えた入浴用ストレッチャである。
【０００７】
請求項１に記載の発明によれば、入浴時には、ベッド上に設けられたプールの中に、介護人の介護により、要介護者を伏臥状態または仰臥状態で入れ、要介護者を入浴（シャワーを含む）させる。このように、入浴用ストレッチャに簡易な浴槽であるプールを取り付けたので、従来のように床固定式の剛体の浴槽が不要となる。その結果、入浴設備の低コスト化が図れ、しかも要介護人を、例えば浴槽を有した福祉施設の浴室などではなく、例えば要介護者の寝室など何処ででも入浴させることができる。
【０００８】
入浴用ストレッチャは、福祉施設、住宅（自宅）などで使用してもよい。入浴用ストレッチャの寝室から離れた場所（浴室など）への移動は、入浴用ストレッチャを略水平に延ばしたまま（要介護者は伏臥または仰臥状態）で行ってもよいし、入浴用ストレッチャをくの字に折り曲げて椅子の状態にして移動させてもよい。
【０００９】
ここでの要介護者とは、年齢、性別を問わず要介護状態にある人の全般をいう。例えば身体障害者（脊髄損傷者を含む）、寝たきり老人、病人などである。
要介護者の入浴介護を介護人一人で行えるとは、要介護者を入浴させる際に、介護人が一人だけしかいなくても、その一人でも要介護者を簡単に入浴できることをいう。
入浴用ストレッチャのベッドは、１枚ベッドでもよいし、１枚のベッドを複数枚に分割した部分ベッドから構成されたものでもよい。
プールは、ベッドに固定状態でもよいし、ベッドに対して着脱自在でもよい。また、プールは、組立式のプールでもよいし、そうでないプールでもよい。さらに、プールは剛体のものでもよいし、例えばバルーンプール（気体を吹き込んで膨らませるプール）のように湾曲自在なものでもよい。前記組み立て式のプールとしては、バルーンプールの他、例えば複数枚の枠板（プラスチック板、金属板、木板など）をプールの形状（容器形状）に組み立て、その組み上がったプール枠体の全体に上方から遮水シート（合成樹脂シートなど）を被せて水が漏れないようにしたものでもよい。
【００１０】
請求項２に記載の発明は、前記ベッドの上面は、その周囲が４つの柵体で取り囲まれた請求項１に記載の入浴用ストレッチャである。
【００１１】
請求項２に記載の発明によれば、ベッドの上面の周囲が４つの柵体で取り囲まれているので、入浴時にプールの型崩れが発生し難い。
ここでのベッドは矩形状を有し、ベッドの四辺に柵体がそれぞれ立設されたものとする。
柵体はベッドに対して固定状態でもよいし、着脱自在でもよい。また、柵体はベッドに回動自在に取り付けられてもよい。
柵体の素材は、各種の金属、各種の合成樹脂、各種の木材などを採用することができる。
【００１２】
請求項３に記載の発明は、前記柵体の内側に、プラスチック製シートによるプールが配設された請求項１に記載の入浴用ストレッチャである。
【００１３】
請求項３に記載の発明によれば、プールとしてプラスチック製シートによるものを採用したので、入浴用ストレッチャの低コスト化、軽量化を図ることができる。
プラスチック製シートのプールとしては、例えばバルーンプールなどが挙げられる。プールは柵体の内側に配置される。これにより、プールが湾曲自在なプラスチック製シートからなるものでも形状を保持し易い。
【００１４】
請求項４に記載の発明は、前記柵体は、折り畳み自在である請求項１に記載の入浴用ストレッチャである。
【００１５】
請求項４に記載の発明によれば、柵体を折り畳み自在としたので、要介護者をベッドへ移動させたり、ベッドから降ろしたりする作業が容易になる。しかも、入浴用ストレッチャの収納時に、入浴用ストレッチャをコンパクトに収納することができる。
柵体は、ベッドの内側へ折り畳み自在でもよいし、ベッドの外側へ折り畳み自在でもよい。
【００１６】
請求項５に記載の発明は、前記ベッドは、その長さ方向中央部で２つに折り畳み可能である請求項１に記載の入浴用ストレッチャである。
【００１７】
請求項５に記載の発明によれば、ベッドを、その長さ方向中央部で２つに折り畳み可能としたので、入浴用ストレッチャをくの字に折り曲げることで、これをベッドではなく、椅子として利用することができる。
【００１８】
請求項６に記載の発明は、前記プールは、要介護者が仰臥した状態で入浴可能な深さに設定した請求項１に記載の入浴用ストレッチャである。
【００１９】
請求項６に記載の発明によれば、プールの深さを、要介護者が仰臥した状態で入浴可能な程度に浅くしたので、仰臥した要介護者を安全に入浴させることができる。
要介護者が仰臥した状態で入浴可能な深さとは、例えば３０〜５０ｃｍである。
【００２０】
請求項７に記載の発明は、前記ストレッチャは、キャスタにより移動自在である請求項１に記載の入浴用ストレッチャである。
【００２１】
請求項７に記載の発明によれば、例えば、要介護者を任意の移動先で入浴させたい場合には、要介護者をベッドに乗せ、キャスタにより入浴用ストレッチャを走行させて、所望の場所まで移動させることができる。
【００２２】
請求項８に記載の発明は、前記ベッド面は、高さ調整が可能である請求項１に記載の入浴用ストレッチャである。
【００２３】
請求項８に記載の発明によれば、例えば要介護者が仰臥しているベッドの上面の高さに、入浴用ストレッチャのベッド面の高さを揃えて、要介護者のベッド間の移動を容易にするとができる。
ベッド面の高さを調整する方法としては、例えばベッドをパンタグラフ、テレスコピックなどにより水平昇降させる方法などが挙げられる。
【００２４】
請求項９に記載の発明は、前記ベッド面は、要介護者の頭部が載置される長さ方向の一端部が持ち上げ可能である請求項１に記載の入浴用ストレッチャである。
【００２５】
請求項９に記載の発明によれば、ベッドのうち、要介護者の頭部が載置される長さ方向の一端部を持ち上げるので、ベッドをくの字に折り曲げて椅子の状態で使用することができる。
ベッド面のうち、要介護者の頭部が載置される一端部を持ち上げる方法としては、例えば油圧シリンダ、電動シリンダなどを駆動源としたベッドの一端部の回動方式などを採用することができる。また、回動方式の場合には、その回動中心となる軸部にラチェット構造を設け、手動式の回動構造としてもよい。
【発明の効果】
【００２６】
請求項１に記載の発明によれば、ベッド上に浴槽としてのプールを取り付けたので、従来のような剛体からなる床固定式の浴槽が不要となる。その結果、入浴設備の低コスト化が図れ、しかも要介護人を、例えば福祉施設の浴室などではなく、例えば要介護者の自宅の寝室など場所にとらわれず入浴させることができる。
【００２７】
請求項２に記載の発明によれば、ベッドの上面の周囲が４つの柵体で取り囲まれるように構成したので、入浴時にプールの型崩れが発生し難い。
【００２８】
請求項３に記載の発明によれば、プールとしてプラスチック製シートによるものを採用したので、入浴用ストレッチャの低コスト化および軽量化が図れる。
【００２９】
請求項４に記載の発明によれば、柵体を折り畳み自在としたので、要介護者をベッドへ移動させたり、ベッドから降ろしたりする作業が容易となる。しかも、入浴用ストレッチャの収納時に、入浴用ストレッチャをコンパクトに収納することができる。
【００３０】
請求項５に記載の発明によれば、ベッドを、その長さ方向中央部で２つに折り畳み可能な構造としたので、入浴用ストレッチャをくの字に折り曲げることで、ベッドを椅子として利用することができる。
【００３１】
請求項６に記載の発明によれば、プールの深さを、要介護者が仰臥した状態で入浴可能な程度に浅くしたので、仰臥した要介護者を安全に入浴させることができる。
【００３２】
請求項７に記載の発明によれば、例えば、要介護者を任意の移動先で入浴させたい場合には、要介護者をベッドに乗せ、キャスタにより入浴用ストレッチャを走行させて、所望の場所まで移動させることができる。
【００３３】
請求項８に記載の発明によれば、例えば要介護者が仰臥しているベッドの上面の高さに、入浴用ストレッチャのベッド面の高さを揃えて、要介護者のベッド間の移動を容易にするとができる。
【００３４】
請求項９に記載の発明によれば、ベッドのうち、要介護者の頭部が載置される長さ方向の一端部を持ち上げるので、ベッドをくの字に折り曲げて椅子として利用することもできる。
【発明を実施するための最良の形態】
【００３５】
以下、この発明の実施例を具体的に説明する。
【実施例１】
【００３６】
図１において、１０はこの発明の実施例１に係る入浴用ストレッチャで、要介護者の入浴介護を一人で容易に行えるものである。この入浴用ストレッチャ１０は、要介護者が伏臥または仰臥可能なベッド１１と、このベッド１１上に設けられるプール１２とを備えている。
以下、これらの構成体を詳細に説明する。
ベッド１１は、その長さ方向中央部で折り畳み可能なリクライニング構造を有している。すなわち、ベッド１１はその長さ方向の中央部で１対の部分ベッド１１Ａ，１１Ｂに分割されている。一方の部分ベッド１１Ａは要介護者の下半身を受け、他方の部分ベッド１１Ｂは要介護者の上半身を受ける。両部分ベッド１１Ａ，１１Ｂは、その突き合わせ側の端部同士を、軸線方向がベッド１１の幅方向とするヒンジ１１ａにより回動自在に連結されている。しかも、このヒンジ１１ａの連結部には、図示しないラチェット構造体が設けられている。
【００３７】
これにより、ベッド１１をくの字の任意角度に折り曲げ、椅子として使用することができる。その結果、ベッド面（ベッド１１の上面／要介護者の載置面）１１ｂは、要介護者の頭部が載置される長さ方向の一端部が持ち上げ可能となっている。なお、ベッド１１の各支柱１３を長さ調整が可能なテレスコピック式の支柱としたり、各支柱１３に代えてパンタグラフ台を採用することで、ベッド面１１ｂを高さ調整が可能としてもよい。こうすれば、要介護者が仰臥しているベッド１１の上面の高さに、ベッド面１１ｂの高さを揃えることができる。これにより、要介護者が寝ている据え付けベッド（図示せず）とベッド１１との間の移動を、さらに容易にするとができる。各支柱１３の下端には、キャスタＫが配設されている。
【００３８】
一方の部分ベッド１１Ａの四隅の下側には、合計４本の支柱１３が配設されている。一方の部分ベッド１１Ａの隣接する各支柱１３同士は、交差された２本の補強リンク１４によりそれぞれ補強されている。また、他方の部分ベッド１１Ｂには、そのヒンジ１１ａとは反対側の端部の下側に、２本の支柱１３が水平軸１３ａを中心にして折り畳み自在に配設されている。他方の部分ベッド１１Ｂの両支柱１３も、２本の補強リンク１４により補強されている。しかも、両支柱１３は、折り畳み可能な１対の筋かい部材１５によりそれぞれ支持されている。
【００３９】
両筋かい部材１５は、元部が他方の部分ベッド１１Ｂの幅方向の辺部に軸支された一方のリンク１５ａと、元部が支柱１３に軸支された他方のリンク１５ａとを短尺なピン１５ｂにより軸支したものである。しかも、一方のリンク１５ａの先端部の上縁にはストッパ片１５ｃが突設されている。ストッパ片１５ｃが、他方のリンク１５ａの先端部の上縁に掛止されることで、筋かい部材１５は対応する支柱１３のつっかえ棒となる。
両部分ベッド１１Ａ，１１Ｂの四隅には、各上側の開口部がベッド面１１ｂに露出した短尺な固定筒１６がベッド面１１ｂに直交して配設されている。また、他方の部分ベッド１１Ｂには、そのヒンジ１１ａとは反対側の一隅部付近にドレン孔１７が形成されている。
【００４０】
両部分ベッド１１Ａ，１１Ｂは、その幅方向の辺部に着脱自在に立設される合計４本の柵体１８を有している。各柵体１８は、多数本のステンレスパイプを柵形状に連結したもので、その長さ方向の両端下部には、対応する固定筒１６に抜き差し自在に挿入される短尺な固定突起１９がそれぞれ突設されている。また、両部分ベッド１１Ａ，１１Ｂにおいて、一方の柵体１８のベッド長さ方向の外側端部上には、他方の柵体１８のベッド長さ方向の外側端部のパイプ開口部１８ａに、先端部が抜き差しされる連結パイプ２０の元部が水平ピン２０ｄを介して回動自在に連結されている。
【００４１】
両部分ベッド１１Ａ，１１Ｂにおいて、２対の固定筒１６に、対応する固定突起１９をそれぞれ挿入することで、両部分ベッド１１Ａ，１１Ｂの幅方向の両辺部上に合計２対の柵体１８が立設される。しかも、両部分ベッド１１Ａ，１１Ｂにおいて、連結パイプ２０を水平ピン２０ｄを中心にして回動させ、その先端部を前記パイプ開口部１８ａにそれぞれ差し込む。これにより、ベッド１１の上面は、その周囲が４つの柵体１８で取り囲まれる。なお、各柵体１８は、対応するヒンジ２１を介して、ベッド１１の外側（図３）またはベッド１１の内側（図４）に折り畳み自在に配設してもよい。また、両部分ベッド１１Ａ，１１Ｂの同じ辺側の柵体１８同士の連結構造は、その突き合わせ側の上端部同士を、断面下向きコの字形状の連結枠２２により掛止するものに変更してもよいし（図３）、前記パイプ開口部１８ａおよび短尺な連結パイプ２０Ａからなる連結構造体に変更してもよい（図４）。
【００４２】
前記プール１２は、プラスチック製シートを適宜熱融着した矩形容器状のバルーンプール（プール型浮袋）である。プール１２の深さは、要介護者が仰臥した状態で入浴可能な４０ｃｍで、各柵体１８の高さは３０ｃｍである。これにより、プール１２の上端部は、その全周にわたって柵体１８の上縁から１０ｃｍだけ突出する。プール１２の一端部の隅部には、プール１２内の水を排水するドレン管２０ａが設けられている。なお、プール１２の他端部の長さ方向の中間部にドレン管２０ａを設けるとともに、ドレン孔１７を部分ベッド１１Ａのヒンジ１１ａとは反対側の長さ方向の中間部に設けてもよい。これにより、プール１２内の水の排水を行う際、部分ベッド１１Ｂを回動させて上傾斜させ、プール１２の水をドレン管２０ａへ導くことができる。
なお、プラスチック製シートのプール１２に代えて、例えば４枚のプラスチック板２３をプール形状に組み立てた別の簡易組み立て式のプール１２Ａを採用してもよい（図５）。また、その組み上がったプール１２の全体に上方から合成樹脂製の遮水シートを被せて防水性を高めてもよい。
【００４３】
次に、この発明の実施例１に係る入浴用ストレッチャ１０の使用方法を説明する。ここでは、脊髄損傷者である要介護者を入浴させる場合を例にとる。
図１および図２に示すように、要介護者を寝室で入浴させ場合には、まずベッド１１を両部分ベッド１１Ａ，１１Ｂが水平配置されるように組み立てる。その後、ベッド１１上に柵体１８とプール１２とを組み付ける。具体的には、両部分ベッド１１Ａ，１１Ｂ上で２対の固定筒１６に固定突起１９をそれぞれ挿入し、４つの柵体１８を立設する。次いで、連結パイプ２０を水平ピン２０ｄを中心にして回動させ、他方の柵体１８の対応するパイプ開口部１８ａに、連結パイプ２０の先端部をそれぞれ差し込む。これにより、ベッド１１の上面の周囲が４つの柵体１８で取り囲まれる。
【００４４】
その後、空気を吹き込み膨らませたプール１２を４つの柵体１８により形成された矩形空間に挿入し、プール１２をベッド１１上に載置する。このとき、プール１２のドレン管２０ａを排水用の他方の部分ベッド１１Ｂのドレン孔１７に挿入する。それから、入浴用ストレッチャ１０を要介護者が寝ている据え付けベッドに横付けし、プール１２の底板の一端部（頭部が載置される部分）に折り畳み式の枕２４を配置する。そして、要介護者を伏臥状態または仰臥状態でプール１２に入れ、要介護者の入浴（シャワーなど）を行う。このとき、入浴用ストレッチャ１０の直下の床部分には、床面が濡れないようにビニールシートを敷く。シャワー時には、ドレン管２０ａを常開し、使用済みの水を排出する。排水は、図示しないバケツまたはポリタンクなどに溜めるか、ホースなどで所定の排水場所まで導出する。
【００４５】
また、要介護者を浴室で入浴させたい場合には、まずベッド１１のうち、頭部が載置される他方の部分ベッド１１Ｂを、ヒンジ１１ａを中心にして回動させて持ち上げ、ベッド１１をくの字に折り曲げて椅子とする（図６）。ただし、柵体１８およびプール１２は、まだ組み付けない。次に、椅子型の入浴用ストレッチャ１０を据え付けベッドに横付けし、要介護者を入浴用ストレッチャ１０に着座させる。なお、空気を抜いたプール１２の外周板をベッド１１の周囲に垂らした状態で、プール１２をベッド１１に着座前にセットしてもよい（図７）。こうすれば、浴室でベッド１１にプール１２をセットするため、要介護者をいったんベッド１１から降ろす必要がない。
その後、キャスタＫを利用し、ベッド１１を寝室から浴室へ移動させる。浴室ではいったん要介護者をベッド１１から降ろし、立ち上げ状態であった他方の部分ベッド１１Ｂを水平状態に戻す。次に、ベッド１１上に、前記柵体１８と、膨らませたプール１２とを順次組み付ける。その後、要介護者をプール１２に入れ、入浴させる。使用後の水は、そのままドレン管２０ａから浴室の床に放出すればよい。
【００４６】
このように、入浴用ストレッチャ１０に簡易な浴槽であるプール１２を取り付けたので、従来のような剛体からなる床固定式の浴槽が不要となる。その結果、入浴設備の低コスト化が図れ、しかも要介護人を、例えば浴槽を有した福祉施設の浴室などではなく、例えば要介護者の寝室など何処ででも入浴させることができる。
また、ベッド面の周囲を４つの柵体１８で取り囲むように構成したので、入浴時にプール１２の型崩れが発生し難い。
さらに、プール１２としてプラスチック製シートからなるバルーンプールを採用したので、入浴用ストレッチャ１０の低コスト化および軽量化が図れる。
【００４７】
そして、プール１２の深さを、要介護者が仰臥した状態で入浴可能な程度に浅くしたので、仰臥した要介護者を安全に入浴させることができる。
なお、柵体１８を折り畳み自在とした場合には、要介護者をベッド１１へ移動させたり、ベッド１１から降ろす作業が容易になる。しかも、入浴用ストレッチャ１０の収納時に、入浴用ストレッチャ１０をコンパクトに収納することができる。
【図面の簡単な説明】
【００４８】
【図１】この発明の実施例１に係る入浴用ストレッチャの組み立て状態の斜視図である。
【図２】この発明の実施例１に係る入浴用ストレッチャの分解斜視図である。
【図３】この発明の実施例１に係る別の入浴用ストレッチャの要部斜視図である。
【図４】この発明の実施例１に係るまた別の入浴用ストレッチャの斜視図である。
【図５】この発明の実施例１に係る他の入浴用ストレッチャの斜視図である。
【図６】この発明の実施例１に係る入浴用ストレッチャの椅子への組み立て状態を示す斜視図である。
【図７】この発明の実施例１に係る入浴用ストレッチャの別の椅子への組み立て状態を示す斜視図である。
【符号の説明】
【００４９】
１０  入浴用ストレッチャ、
１１  ベッド、
１２  プール、
１８  柵体、
Ｋ  キャスタ。
【図１】
2007181630.tif 000003
【図２】
2007181630.tif 000004
【図３】
2007181630.tif 000005
【図４】
2007181630.tif 000006
【図５】
2007181630.tif 000007
【図６】
2007181630.tif 000008
【図７】
2007181630.tif 000009